(57)【要約】      （修正有）【課題】海岸構造物区域を水産増殖の場にするために、丸太木材をコンクリートブロックに固定して、その木材に海藻の移植する藻場造成技術を提供する。【解決手段】  檜と杉の丸太木材の表皮を削除した藻場造成部材を海岸構造物、離岸堤・防波堤の形状に合わせて固定する。丸太木材から窒素やリンなどの栄養分が持続的に溶出して、海藻に栄養分を供給する。丸太木材基盤に、大型褐藻のホンダワラ類とカジメ類藻体を各種釘で固着、あるいは海藻幼体が固着した種苗板の各種釘で固着する。この方法により短期間に丸太木材域を核にして、海岸構造物区域に藻場が造成されて、安定した藻場が持続され水産増殖場となる。【選択図】図３
2005117901.tif 000002
【特許請求の範囲】
【請求項１】
檜と杉の表皮を削除した丸太木材を海岸構造物の藻場の基盤として、人為的な海藻種苗移植を施す藻場造成の方法。
【請求項２】
請求項１の丸太木材を海岸構造物（コンクリート離岸堤や防波堤）の形状の長さに裁断して固着させて凹凸により渦巻き流を起こさせる施工法。
【請求項３】
請求項１で固定した丸太木材に、藻場を構成する大型褐藻株の固着法、褐藻の種苗板（糸）の固着法と成熟海藻を網袋（スポアバッグ）に挿入し固定して胞子を周囲に散布する方法を組み合わせた海藻移植法。
【請求項４】
請求項１から３で記載された海藻種苗が人為的に着生することを特徴とするコンクリートブロックを、水深5から10 mに配置する藻場造成技術。
【発明の詳細な説明】
【技術分野】
【０００１】
本発明は、人工構造物を沿岸の浅海域に設置して、その基盤に大型海藻群落（藻場）を人為的に造成する藻場造成技術に関する。
【背景技術】
【０００２】
人為的藻場造成を行う時にコンクリート面は、海藻種苗を固着させ難い。さらに、コンクリート面は大型褐藻のカジメやホンダワラ類から放出された胞子が着生しにくい。そのために、コンクリート海岸構造物には大型褐藻が繁茂をしない事例が多かった（特許文献1から2非特許文献1参照）。
【０００３】
【特許文献１】特許番号２５９８３４８公報
【特許文献２】特開２００１―２５４３３５公報
【特許文献３】特開２００３―１１６４００公報
【非特許文献１】財団法人港湾空間高度化センター、港湾・海域環境研究所。港湾構造物と海藻草類の共生マニュアル。９８頁平成１０年。海岸構造物として、港湾、離岸堤などに大型海藻や海産種子植物を造成する手法を、既存の報告から豊富な事例によって説明している。
【発明の開示】
【発明が解決しようとする課題】
【０００４】
海藻類に必要な栄養分は、従来、山間部からの腐葉土が川に入り、沿岸に流入するものである。木材から流出する養分は腐葉土と同じものであり、持続性のある栄養供給源となる。この発明は丸太木材は用いることにより、持続的に海藻に養分を補給できる。丸太木材は表面がなめらかになり、浮泥の堆積が少ないが、表面には微細な凹凸があり海藻着生基盤として良好である。木材部位に人為的に釘で打ち付けるなどして海藻種苗を着生させて藻場を造成し、この海岸構造物の藻場の核として周辺に藻場造成技術を開発することを課題とする。
【課題を解決するための手段】
【０００５】
丸太木材の表皮を削除しないと表皮の腐食から丸太木材とコンクリートとの固定が緩む。表皮を除去することにより堅固にコンクリート面と固着する。丸太木材表面は適度の微細な凹凸があるので、移植海藻種苗の着生が著しくて安定した基盤となる。丸太木材は海藻の繁茂に適切な水位・場所の離岸堤や防波堤の海岸構造物に、容易にボルトで固定でき、海岸構造物設置作業の支障がない方法である。
【０００６】
丸太木材は藻体株、種苗板を各種釘で固着する作業が容易であるので、藻体を痛めず、迅速に種苗を丸太へ固定できて藻場造成が達成できる。円柱状の木材は浮泥が堆積しにくく、また、固定丸太の間隙は複雑な海水の渦巻き流となり海藻の生育を促進する効果がある。丸太木材は海藻の固着基盤の役目と持続的栄養源の要素を備えており、藻場の維持ができることを特徴とする藻場造成法の重要な要因である。
【発明の効果】
【０００７】
本発明により、丸太木材を固着させた海岸構造物（離岸堤、防波堤）区域の大型海藻の生育が、通常の海岸構造物区域の海藻の生育より良好であることから、丸太木材から溶出する栄養分の効果が認められた。本発明による丸太木材にホンダワラとカジメ等の海藻移植と種苗板固着する藻場造成法は、従来の藻場造成方法より簡便で短期間に藻場を造成が形成される。丸太木材から持続的栄養分補給により安定した藻場が維持されることが期待される。
【発明を実施するための最良の形態】
【０００８】
丸太木材は表皮を削除する必要がある。それによって表面がなめらかになり、浮泥の堆積が少ない。丸太木材の大きさは、作業行程や入手の目的（間伐材）から、直径２０cmから３０cmのものが良い。
【０００９】
木材は、檜が腐食の速度が遅くて望ましいが杉でも良い。
【００１０】
丸太木材をコンクリート基盤に固着することにより、周辺の潮流は渦巻き流を起こす適度の凹凸となる。その流れによって丸太と海藻に堆積する浮泥を除去する。
【００１１】
丸太木材に、藻場を構成する大型褐藻のホンダワラ類とカジメ類の親藻体株を各種の釘で固着させる。固着した部分から付着根が新たに出て親藻株は拡大してゆく。大型褐藻類から胞子や卵を人為的に採取して、板や糸に固着させて発芽させた種苗（糸あるいは板）を各種釘で丸太木材に固着させる。これらの幼い藻体は成長して成体になり成熟して卵、胞子を放出する。卵や胞子は木材を核にして周囲のブロックに着生する。
【００１２】
丸太木材を固着させたコンクリートブロックは、海藻の繁茂水域の水深５ m から１０mの範囲に設置して藻場の核とする。この藻場から海藻の胞子や卵が散布されて、海岸構造物区域（離岸堤、防波堤、漁港）に大きな藻場を形成する。
【実施例１】
【００１３】
土佐湾の土佐佐賀漁港内において、図１に示すように、２月に離岸堤の基盤に、檜と杉の表皮付きの間伐材（径２００mm,  長さ１５００mm）と表皮を剥いだ間伐材（径２００mm,長さ１５００mm）を、１０基の離岸堤コンクリートブロック(２３ｔ/立方m)に固定した。これらのコンクリートブロックを、図２に示すように離岸堤の内側区域の水深５ｍから７ｍに設置した。ブロック設置後に、図３に示すように、潜水作業でホンダワラ類とカジメの成体株を釘で間伐材に固定した。また、カジメ種苗糸と種苗板を丸太木材に固定した。
【００１４】
追跡生態調査は、１ヶ月から２ヶ月の間隔で行ったが、ホンダワラ類は成長して５０cmから１mの藻長になった。これらの成体は成熟して多くの卵が周囲に散布した。卵からの新しい個体が丸太木材からコンクリートブロック２mから２０mの範囲に出現して、それらは成体になった。
【００１５】
表皮を削除した部材の方が、種苗の着生がよく、付着根の固着を安定していた。表皮を削除した丸太木材とコンクリートとの固着も安定しており、これらの結果から表皮剥離木材が望ましいことがわかった。
【００１６】
丸太木材藻場より約２０m離れた距離のコンクリートブロックには、ほとんど大型海藻は着生していなかった。丸太木材個体ブロックの周辺には、多くの大型海藻が繁茂していることから、丸太木材から持続的に木材成分を溶出することが推察された。溶出される成分は腐葉土からのものと類似しており、海藻の良好な成分であると推察された。
【実施例２】
【００１７】
土佐湾の土佐佐賀の離岸堤で、カジメ株とホンダワラ株を図４に示すように、混成（混合）させて木材部材に固着させた方が、カジメの生育が良好であり、カジメ株は夏を越して成熟し胞子がでて、新しい個体が出現した。カジメ株だけを固着させた区域は、藻食魚類によって、葉状部は食べられてしまった。ホンダワラ類は藻食魚に食べないので、カジメの防御の役を果たしていた。
【００１８】
上記の試験区で、丸太木材の基盤設置から、２年後には丸太木材区域を核にして、ホンダワラやカジメを含む多様性に富む藻場が防波堤域に形成されており、さらに拡大を続けることが期待された。丸太木材基盤には、コンクリート基盤より海藻の繁茂が良好であることが確認された。多くの魚や貝類の蝟集がみられた。しかし、離れた離岸堤区域には、ひきつづき海藻の繁茂が貧弱であった。
【実施例３】
【００１９】
室戸岬、高岡漁港内で、丸太木材を海中に吊して、浮力の試験を行うと、３か月後で吸水により海底に沈下した。このことにより、丸太木材がコンクリート基盤から外れても周囲の海底に留まり持続的栄養源になることが明らかになった。
【実施例４】
【００２０】
愛媛県伊方町の試験区で、丸太木材の固定試験では、コンクリート面に固着した丸太木材は、５年後も堅固に固着していた。
【産業上の利用可能性】
【００２１】
沿岸域の牧場化事業に関して、海藻の繁茂（藻場の形成）が第１条件である。本発明により藻場ができることにより、魚介類が蝟集して水産業の振興に繋がる。藻場造成技術は、豊かな海の森づくりとして新しい事業として成り立ち波及効果も大きい。
【図面の簡単な説明】
【００２２】
【図１】丸太木材のコンクリートブロックへの取り付け詳細図
【図２】丸太木材固定コンクリートブロックの離岸堤配置図
【図３】藻場造成法（１）種苗を木材基盤に取り付ける方法
【図４】藻場造成法（２）ホンダワラ類株とカジメ株を交互に固着させる方法
【図１】
2005117901.tif 000003
【図２】
2005117901.tif 000004
【図３】
2005117901.tif 000005
【図４】
2005117901.tif 000006